(57)【特許請求の範囲】
【請求項１】
ディーゼルエンジン車の排気通路の途中に着脱交換可能に設置されたディーゼル微粒子除去フィルタを交換可能な店舗を、車上で検索する検索システムであって、以下の事項（１）〜（８）により特定されることを特徴とするディーゼルエンジン車のディーゼル微粒子除去フィルタの交換可能店舗検索システム。
（１）検索サービス提供側は、各店舗の所在地、ディーゼル微粒子除去フィルタ（ＤＰＦ）の型式、種別を含む在庫データを格納したＤＰＦ在庫データベースを有している。
（２）検索サービス提供側に検索サービス提供側コンピュータが設置され、当該検索サービス提供側コンピュータは、通信ネットワークによって複数個の店舗と通信可能に接続されて各店舗におけるディーゼル微粒子除去フィルタの在庫データを前記ＤＰＦ在庫データベースに書き込むことと、前記ＤＰＦ在庫データベースの条件付き検索とを行う。
（３）ディーゼル微粒子除去フィルタを搭載しているディーゼルエンジン車は、車載の無線通信手段によって通信ネットワークを介して前記検索サービス提供側コンピュータとアクセス可能な表示器付きの端末機器を車載している。
（４）前記ディーゼルエンジン車はグローバルポジショニングシステムの受信器を車載しており、自車の地理上の現在位置データを前記端末機器に与える。
（５）前記端末機器は、検索指令により無線通信により前記検索サービス提供側コンピュータと双方向にデータ通信可能に接続され、グローバルポジショニングシステムによって得られる自車の地理上の現在位置データと、データ入力されている自車搭載のディーゼル微粒子除去フィルタの型式、種別に関するＤＰＦデータを前記検索サービス提供側コンピュータへ送信する。
（６）前記検索サービス提供側コンピュータは、ディーゼルエンジン車の端末機器より送信されたデータを受信し、問い合わせがあったディーゼルエンジン車の現在位置に近いエリア内であって、型式、種別が適合するディーゼル微粒子除去フィルタの在庫がある店舗と云う条件付きの検索を前記ＤＰＦ在庫データベースに対して行い、その検索結果を問い合わせ元のディーゼルエンジン車の端末機器に送信する。
（７）問い合わせ元のディーゼルエンジン車の端末機器は、前記検索サービス提供側コンピュータより検索結果を受信して検索結果を表示器に表示する。
（８）前記店舗は、新品あるいは再生済みの前記ディーゼル微粒子除去フィルタの在庫があり、使用済みの前記ディーゼル微粒子除去フィルタを再生するヒータ、バーナを含んで構成される設備を備える。
【請求項２】
前記端末機器は、地図表示機能を有しており、グローバルポジショニングシステムによって得られる自車の地理上の現在位置付近の地図を表示器に表示すると共に、自車の現在位置と、自車搭載のディーゼル微粒子除去フィルタと型式、種別が適合するディーゼル微粒子除去フィルタの在庫がある店舗を画面表示地図上に画面表示することを特徴とする請求項１に記載のディーゼルエンジン車のディーゼル微粒子除去フィルタの交換可能店舗検索システム。
【請求項３】
検索サービス提供側は、各店舗のフィルタ交換価額やディーゼルエンジン燃料等の販売価額のデータを格納した価額データベースを有しており、前記検索サービス提供側コンピュータは、前記価額データベースを検索し、ディーゼル微粒子除去フィルタの在庫情報と共に、在庫がある店舗のフィルタ交換価額やディーゼルエンジン燃料等の販売価額を問い合わせ元のディーゼルエンジン車の端末機器に送信し、問い合わせ元のディーゼルエンジン車の端末機器は、前記検索サービス提供側コンピュータより検索結果と価額情報を受信して検索結果と共に価額情報を表示器に表示することを特徴とする請求項１または２に記載のディーゼルエンジン車のディーゼル微粒子除去フィルタの交換可能店舗検索システム。
【請求項４】
前記検索サービス提供側コンピュータは、道路交通情報通信システムと接続されて道路交通情報通信システムより道路交通情報を取得し、問い合わせ元のディーゼルエンジン車の現在位置より在庫がある店舗への道路の渋滞状態データを付与して検索結果を問い合わせ元のディーゼルエンジン車の端末機器に送信し、問い合わせ元のディーゼルエンジン車の端末機器は、前記検索サービス提供側コンピュータより検索結果と前記渋滞状態データを受信して検索結果と共にディーゼルエンジン車の現在位置より在庫がある店舗への道路の渋滞状態を表示器に表示することを特徴とする請求項１〜３のいずれか一つに記載のディーゼルエンジン車のディーゼル微粒子除去フィルタの交換可能店舗検索システム。
【請求項５】
ディーゼルエンジン車は使用中のディーゼル微粒子除去フィルタの交換時期を検出するフィルタ交換時期検出手段を有し、前記フィルタ交換時期検出手段によるフィルタ交換時期検出によって前記検索指令を自動発生することを特徴とする請求項１〜４のいずれか一つに記載のディーゼルエンジン車のディーゼル微粒子除去フィルタの交換可能店舗検索システム。
【請求項６】
前記フィルタ交換時期検出手段は、前記ディーゼル微粒子除去フィルタの配置位置より、排気ガスの流れの上流側の前記排気通路におけるガス圧力を検出し、前記ガス圧力を監視することにより、前記ディーゼル微粒子除去フィルタの交換時期を検出することを特徴とする請求項５に記載のディーゼルエンジン車のディーゼル微粒子除去フィルタの交換可能店舗検索システム。
【請求項７】
前記店舗はディーゼルエンジン燃料の販売を行うガソリンスタンドであることを特徴とする請求項１〜６のいずれか一つに記載のディーゼルエンジン車のディーゼル微粒子除去フィルタの交換可能店舗検索システム。
【請求項８】
請求項１〜７のいずれか一つに記載のディーゼルエンジン車のディーゼル微粒子除去フィルタの交換可能店舗検索システムにて使用される前記端末機器を含むことを特徴とするディーゼルエンジン車の車載装置。
【発明の詳細な説明】
【０００１】
【発明の属する技術分野】
この発明は、ディーゼルエンジン車のディーゼル微粒子除去フィルタの交換可能店舗検索システムおよびディーゼルエンジン車の車載装置に関するものである。
【０００２】
【従来の技術】
ディーゼルエンジン車の排気ガスに含まれている黒鉛などの微粒子を取り除く装置として、パテキュレートトラップと云われるようなディーゼル微粒子捕捉装置が知られている。ディーゼル微粒子捕捉装置は、排気通路中に設置される繊維構造やハニカム構造の炭化ケイ素系セラミックス製のフィルタを有し、排気ガスがフィルタを通過する際に、排気ガス中の黒鉛などの微粒子をフィルタによって捕捉し、クリーンな排気ガスを排出するようになっている。
【０００３】
上述のようなフィルタは、ディーゼル微粒子除去フィルタ（ＤＰＦ）と呼ばれている。ディーゼル微粒子除去フィルタは微粒子の捕捉により目づまりを起こすから、微粒子の捕捉量が所定値に達した時点で、フィルタの目づまりを解消する再生を行う必要がある。このため、ディーゼル微粒子除去フィルタを含む従来のディーゼル微粒子捕捉装置は、各装置にフィルタ再生用のヒータ、バーナが設けられ、車載装置内でヒータ、バーナによってフィルタに捕捉された微粒子を燃焼灰化することにより、フィルタの再生を行うようになっている。
【０００４】
【発明が解決しようとする課題】
従来は、フィルタ再生のために、各ディーゼルエンジン車に設置されるディーゼル微粒子捕捉装置のそれぞれにフィルタ再生用のヒータ、バーナを設ける必要があるため、装置コストが高くなると共に、装置サイズが大きくなり、車載性が悪くなる。
【０００５】
この発明は、上述の如き問題点を解消するためになされたもので、ディーゼル微粒子除去フィルタをディーゼルエンジン車より着脱交換可能なものとし、ディーゼルエンジン車よりディーゼル微粒子除去フィルタを取り外して店舗にて交換可能なものとした上で、そのディーゼル微粒子除去フィルタを交換可能な店舗を車上で検索する交換可能店舗検索システムおよびディーゼルエンジン車の車載装置を提供することを目的としている。
【０００６】
【課題を解決するための手段】
上述の目的を達成するために、この発明によるディーゼルエンジン車のディーゼル微粒子除去フィルタの交換可能店舗検索システムは、ディーゼルエンジン車の排気通路の途中に着脱交換可能に設置されたディーゼル微粒子除去フィルタを交換可能な店舗を、車上で検索する検索システムであって、以下の事項（１）〜（７）により特定される。
【０００７】
（１）検索サービス提供側は、各店舗の所在地、ディーゼル微粒子除去フィルタ（ＤＰＦ）の型式、種別を含む在庫データを格納したＤＰＦ在庫データベースを有している。
【０００８】
（２）検索サービス提供側に検索サービス提供側コンピュータが設置され、当該検索サービス提供側コンピュータは、通信ネットワークによって複数個の店舗と通信可能に接続されて各店舗におけるディーゼル微粒子除去フィルタの在庫データを前記ＤＰＦ在庫データベースに書き込むことと、前記ＤＰＦ在庫データベースの条件付き検索とを行う。
【０００９】
（３）ディーゼル微粒子除去フィルタを搭載しているディーゼルエンジン車は、車載の無線通信手段によって通信ネットワークを介して前記検索サービス提供側コンピュータとアクセス可能な表示器付きの端末機器を車載している。
【００１０】
（４）前記ディーゼルエンジン車はグローバルポジショニングシステムの受信器を車載しており、自車の地理上の現在位置データを前記端末機器に与える。
【００１１】
（５）前記端末機器は、検索指令により無線通信により前記検索サービス提供側コンピュータと双方向にデータ通信可能に接続され、グローバルポジショニングシステムによって得られる自車の地理上の現在位置データと、データ入力されている自車搭載のディーゼル微粒子除去フィルタの型式、種別に関するＤＰＦデータを前記検索サービス提供側コンピュータへ送信する。
【００１２】
（６）前記検索サービス提供側コンピュータは、ディーゼルエンジン車の端末機器より送信されたデータを受信し、問い合わせがあったディーゼルエンジン車の現在位置に近いエリア内であって、型式、種別が適合するディーゼル微粒子除去フィルタの在庫がある店舗と云う条件付きの検索を前記ＤＰＦ在庫データベースに対して行い、その検索結果を問い合わせ元のディーゼルエンジン車の端末機器に送信する。
【００１３】
（７）問い合わせ元のディーゼルエンジン車の端末機器は、前記検索サービス提供側コンピュータより検索結果を受信して検索結果を表示器に表示する。
【００１４】
これにより、ディーゼルエンジン車の運転者は、自車のディーゼル微粒子除去フィルタと型式、種別が合ったディーゼル微粒子除去フィルタを交換可能な店舗であって、現在位置（走行位置）に近い店舗を、車上で、的確に知ることができるようになる。
【００１５】
また、この発明によるディーゼルエンジン車のディーゼル微粒子除去フィルタの交換可能店舗検索システムは、前記端末機器が地図表示機能を有しており、この端末機器は、グローバルポジショニングシステムによって得られる自車の地理上の現在位置付近の地図を表示器に表示すると共に、自車の現在位置と、自車搭載のディーゼル微粒子除去フィルタと型式、種別が適合するディーゼル微粒子除去フィルタの在庫がある店舗を画面表示地図上に画面表示するものである。
【００１６】
これにより、ディーゼルエンジン車の運転者は、自車のディーゼル微粒子除去フィルタと型式、種別が合ったディーゼル微粒子除去フィルタを交換可能な店舗であって、現在位置（走行位置）に近い店舗を、車上で、画面表示地図を見て、地図で、その店舗の所在位置を確認しながら知ることができるようになる。
【００１７】
また、この発明によるディーゼルエンジン車のディーゼル微粒子除去フィルタの交換可能店舗検索システムは、検索サービス提供側に、各店舗のフィルタ交換価額やディーゼルエンジン燃料等の販売価額のデータを格納した価額データベースが追加され、前記検索サービス提供側コンピュータは、前記価額データベースを検索し、ディーゼル微粒子除去フィルタの在庫情報と共に、在庫がある店舗のフィルタ交換価額やディーゼルエンジン燃料等の販売価額を問い合わせ元のディーゼルエンジン車の端末機器に送信し、問い合わせ元のディーゼルエンジン車の端末機器は、前記検索サービス提供側コンピュータより検索結果と価額情報を受信して検索結果と共に価額情報を表示器に表示するものである。
【００１８】
これにより、ディーゼルエンジン車の運転者は、自車のディーゼル微粒子除去フィルタと型式、種別が合ったディーゼル微粒子除去フィルタを交換可能な店舗と共に、その店舗の価額情報も知ることができるようになる。
【００１９】
また、この発明によるディーゼルエンジン車のディーゼル微粒子除去フィルタの交換可能店舗検索システムは、更に、前記検索サービス提供側コンピュータが、道路交通情報通信システムと接続されて道路交通情報通信システムより道路交通情報を取得し、問い合わせ元のディーゼルエンジン車の現在位置より在庫がある店舗への道路の渋滞状態データを付与して検索結果を問い合わせ元のディーゼルエンジン車の端末機器に送信し、問い合わせ元のディーゼルエンジン車の端末機器は、前記検索サービス提供側コンピュータより検索結果と前記渋滞状態データを受信して検索結果と共にディーゼルエンジン車の現在位置より在庫がある店舗への道路の渋滞状態を表示器に表示するものである。
【００２０】
これにより、ディーゼルエンジン車の運転者は、自車のディーゼル微粒子除去フィルタと型式、種別が合ったディーゼル微粒子除去フィルタを交換可能な店舗への道路の渋滞状態を知ることができ、店舗までの道路が渋滞していない店舗を選ぶことができる。
【００２１】
また、この発明によるディーゼルエンジン車のディーゼル微粒子除去フィルタの交換可能店舗検索システムは、ディーゼルエンジン車は使用中のディーゼル微粒子除去フィルタの交換時期を検出するフィルタ交換時期検出手段を有し、前記フィルタ交換時期検出手段によるフィルタ交換時期検出によって前記検索指令を自動発生するものである。
【００２２】
これにより、フィルタ交換時期になると、自車のディーゼル微粒子除去フィルタと型式、種別が合ったディーゼル微粒子除去フィルタを交換可能な店舗が車載の端末機器に自動表示されることになる。
【００２３】
また、この発明によるディーゼルエンジン車のディーゼル微粒子除去フィルタの交換可能店舗検索システムでは、前記店舗はディーゼルエンジン燃料の販売を行うガソリンスタンドであってよい。
【００２４】
ガソリンスタンドは、ディーゼルエンジン車等の自動車の運行に都合がよい場所にあることが多く、燃料補給サイクルとディーゼル微粒子除去フィルタの再生サイクルとを合わせることで、ガソリンスタンドでの燃料補給の度に、あるいは数回に一度、燃料補給のために立ち寄るガソリンスタンドでディーゼル微粒子除去フィルタの交換を行うことができ、利便性がよい。
【００２５】
また、この発明によるディーゼルエンジン車の車載装置は、上述の発明によるディーゼルエンジン車のディーゼル微粒子除去フィルタの交換可能店舗検索システムにて使用される前記端末機器を含むものである。
【００２６】
【発明の実施の形態】
以下、添付の図を参照して、この発明にかかるディーゼルエンジン車のディーゼル微粒子除去フィルタの交換可能店舗検索システムおよびディーゼルエンジン車の車載装置の実施の形態を詳細に説明する。
【００２７】
図１は、この発明によるディーゼルエンジン車のディーゼル微粒子除去フィルタの交換可能店舗検索システムの一つの実施の形態を示している。このシステムの前提条件として、ディーゼル微粒子除去フィルタ（ＤＰＦ）１１はディーゼルエンジン車１０の排気通路の途中に着脱交換可能に設置される。再生を要するようになったディーゼル微粒子除去フィルタ１１は、ディーゼルエンジン燃料の販売を行うガソリンスタンド２０やカー用品販売店２１、メンテナンスステーション２２、修理工場２３等の店舗で、ディーゼルエンジン車１０より取り外され、新品あるいは再生済みのディーゼル微粒子除去フィルタと交換される。
【００２８】
これら店舗２０〜２３には、新品あるいは再生済みのディーゼル微粒子除去フィルタの在庫があり、また、使用済みのディーゼル微粒子除去フィルタを再生する設備を各店舗あるいは統括店舗ごとに有している。ディーゼル微粒子除去フィルタの交換可能店舗検索システムは、ディーゼル微粒子除去フィルタ１１を交換可能な店舗を、車上で検索する検索システムである。
【００２９】
このシステムの検索サービス提供側には、各店舗の所在地、ディーゼル微粒子除去フィルタ（ＤＰＦ）の型式、種別を含む在庫データを格納したＤＰＦ在庫データベース３０と、各店舗のフィルタ交換価額やディーゼルエンジン燃料等の販売価額のデータを格納した価額データベース３１と、検索サービス提供側コンピュータ３２とが設置されている。
【００３０】
検索サービス提供側コンピュータ３２は、インターネットを含む通信ネットワーク４０によって各店舗２０〜２３と通信可能に接続され、ディーゼル微粒子除去フィルタ１１の在庫データ（フィルタの型式、種別毎の在庫個数）の最新情報をＤＰＦ在庫データベース３０に更新書き込みし、また、各店舗のフィルタ交換価額やディーゼルエンジン燃料等の販売価額を価額データベース３１に書き込み、これらデータベースの条件付き検索とを行う。各店舗２０〜２３の販売在庫情報管理は、ＰＯＳ（ｐｏｉｎｔ  ｏｆ  ｓａｌｅ）システムにより行うことができる。
【００３１】
検索サービス提供側コンピュータ３２は、通信ネットワーク４０によって道路交通情報通信システム（ＶＩＣＳ）５０と通信可能に接続され、道路交通情報通信システム５０より道路交通情報を取得する。
【００３２】
ディーゼル微粒子除去フィルタ１１を着脱交換可能に搭載しているディーゼルエンジン車１０は、車載装置６０として、無線通信手段、例えば、携帯電話器６１と、携帯電話器６１によって携帯電話基地局４１、通信ネットワーク４０を介して検索サービス提供側コンピュータ３２とアクセス可能な端末機器６２と、グローバルポジショニングシステムの受信器、すなわちＧＰＳ受信器６３とを車載している。
【００３３】
ＧＰＳ受信器６３は、ＧＰＳ衛星７０よりの信号を受信し、自車の地理上の現在位置データを端末機器６２に与える。端末機器６２は、入力手段、表示器等を備えたコンピュータシステムにより構成され、グローバルポジショニングシステムによって得られる自車の地理上の現在位置付近の地図を表示器に表示する、いわゆるカーナビゲーションシステム用の端末機器を兼ねている。
【００３４】
端末機器６２は、ユーザ入力による検索指令により、あるいは、使用中のディーゼル微粒子除去フィルタ１１の交換時期を検出するフィルタ交換時期検出センサ１２の出力信号に基づく自動発生の検索指令により、携帯電話器６１を用した無線通信によって検索サービス提供側コンピュータと双方向にデータ通信可能に接続され、グローバルポジショニングシステムによって得られる自車の地理上の現在位置データと、予めデータ入力されている自車搭載のディーゼル微粒子除去フィルタの型式、種別に関するＤＰＦデータを検索サービス提供側コンピュータ３２へ送信する。
【００３５】
フィルタ交換時期検出センサ１２は、ディーゼル微粒子除去フィルタ１１の配置位置より上流側の排気通路におけるガス圧力を検出するようなものであってよく、ディーゼル微粒子除去フィルタ１１が目づまりを起こし、再生時期になると前記ガス圧力が高くなるから、このガス圧力を監視することにより、ディーゼル微粒子除去フィルタ１１の再生時期を検出することができる。
【００３６】
検索サービス提供側コンピュータ３２は、ディーゼルエンジン車１０の端末機器６２より携帯電話器６１を介して送信されたデータ（現在位置データ＋ＤＰＦデータ）を受信し、問い合わせがあったディーゼルエンジン車１０の現在位置に近いエリア内であって、型式、種別が適合するディーゼル微粒子除去フィルタ１１の在庫がある店舗と云う条件付きの検索をＤＰＦ在庫データベース３０に対して行い、その検索結果を問い合わせ元のディーゼルエンジン車１０の端末機器６２に送信する。
【００３７】
ここで、問い合わせがあったディーゼルエンジン車１０の現在位置に近いエリア内とは、ディーゼルエンジン車１０の現在位置を中心とした半径１〜２Ｋｍ以内の円形のエリア、ディーゼルエンジン車１０の進行方向１８０度の範囲で、ディーゼルエンジン車１０の現在位置を中心とした半径１〜２Ｋｍ以内の半円形のエリア等が考えられ、これらは、ユーザによるモード設定により変更可能に設定することもできる。
【００３８】
検索サービス提供側コンピュータ３２は、価額データベース３１を検索し、上述したディーゼル微粒子除去フィルタ１１の在庫情報と共に、在庫がある店舗のフィルタ交換価額やディーゼルエンジン燃料等の販売価額を問い合わせ元のディーゼルエンジン車１０の端末機器６２に送信する。
【００３９】
問い合わせ元のディーゼルエンジン車１０の端末機器６２は、検索サービス提供側コンピュータ３２より検索結果を受信し、検索結果を表示器に表示する。検索結果の画面表示は、図２に示されているように、該当する店舗の名称、住所、所在地の案内等を文字で一覧表示するか、画面表示地図上に、自車の現在位置を示すマークＸと共に、該当する店舗を矢印等のマークＡ、Ｂを表示するかのいずれか、あるいはこれの組み合わせである。この画面表示は、ユーザによるモード設定により変更可能に設定することもできる。また、問い合わせ元のディーゼルエンジン車１０の端末機器６２は、上述した一覧表示において、検索サービス提供側コンピュータ３２より送信された該当店舗の価額情報を各店舗毎に表示器に表示する。
【００４０】
また、検索サービス提供側コンピュータ３２は、道路交通情報通信システム５０より取得した道路交通情報に基づいて、問い合わせ元のディーゼルエンジン車１０の現在位置より在庫がある店舗への道路の渋滞状態データを付与して検索結果を問い合わせ元のディーゼルエンジン車１０の端末機器６２に送信することができる。これにより、問い合わせ元のディーゼルエンジン車１０の端末機器６２は、検索サービス提供側コンピュータ３２より受信した上述の検索結果と渋滞状態データを受信し、検索結果と共にディーゼルエンジン車１０の現在位置より在庫がある店舗への道路の渋滞状態を表示器に表示する。
【００４１】
これにより、ディーゼルエンジン車１０の運転者は、自車のディーゼル微粒子除去フィルタ１１と、型式、種別が合ったディーゼル微粒子除去フィルタを交換可能な店舗であって、現在位置に近い店舗を、車上で、的確に知ることができるようになる。
【００４２】
また、ディーゼルエンジン車１０の運転者は、自車のディーゼル微粒子除去フィルタ１１と、型式、種別が合ったディーゼル微粒子除去フィルタを交換可能な店舗と共に、その店舗の価額情報も知ることができるようになる。
【００４３】
また、ディーゼルエンジン車１０の運転者は、自車のディーゼル微粒子除去フィルタ１１と、型式、種別が合ったディーゼル微粒子除去フィルタを交換可能な店舗への道路の渋滞状態を知ることができ、店舗までの道路が渋滞していない店舗を選ぶことができる。
【００４４】
また、燃料補給サイクルとディーゼル微粒子除去フィルタの再生サイクルとが合わせていると、該当店舗がガソリンスタンド２０であれば、ガソリンスタンド２０での燃料補給の度に、あるいは数回に一度、燃料補給のために立ち寄るガソリンスタンド２０でディーゼル微粒子除去フィルタの交換を行うことができ、利便性がよくなる。
【００４５】
【発明の効果】
以上の説明から理解される如く、この発明によるディーゼルエンジン車のディーゼル微粒子除去フィルタの交換可能店舗検索システムおよびディーゼルエンジン車の車載装置によれば、ディーゼルエンジン車の運転者は、自車のディーゼル微粒子除去フィルタと型式、種別が合ったディーゼル微粒子除去フィルタを交換可能な店舗であって、現在位置（走行位置）に近い店舗を、車上で、的確に知ることができようになる。
【００４６】
また、この発明によるディーゼルエンジン車のディーゼル微粒子除去フィルタの交換可能店舗検索システムによれば、ディーゼルエンジン車の運転者は、自車のディーゼル微粒子除去フィルタと型式、種別が合ったディーゼル微粒子除去フィルタを交換可能な店舗であって、現在位置に近い店舗を、車上で、画面表示地図を見て、地図で、その店舗の所在位置を確認しながら知ることができるようになる。
【００４７】
また、この発明によるディーゼルエンジン車のディーゼル微粒子除去フィルタの交換可能店舗検索システムによれば、ディーゼルエンジン車の運転者は、自車のディーゼル微粒子除去フィルタと型式、種別が合ったディーゼル微粒子除去フィルタを交換可能な店舗と共に、その店舗の価額情報も知ることができるようになる。
【００４８】
また、この発明によるディーゼルエンジン車のディーゼル微粒子除去フィルタの交換可能店舗検索システムによれば、ディーゼルエンジン車の運転者は、自車のディーゼル微粒子除去フィルタと型式、種別が合ったディーゼル微粒子除去フィルタを交換可能な店舗への道路の渋滞状態を知ることができ、店舗までの道路が渋滞していない店舗を選ぶことができる。
【００４９】
また、この発明によるディーゼルエンジン車のディーゼル微粒子除去フィルタの交換可能店舗検索システムによれば、フィルタ交換時期になると、自車のディーゼル微粒子除去フィルタと型式、種別が合ったディーゼル微粒子除去フィルタを交換可能な店舗が車載の端末機器に自動表示されることになる。
【００５０】
また、この発明によるディーゼルエンジン車のディーゼル微粒子除去フィルタの交換可能店舗検索システムによれば、燃料補給サイクルとディーゼル微粒子除去フィルタの再生サイクルとを合わせることで、ガソリンスタンドでの燃料補給の度に、あるいは数回に一度、燃料補給のために立ち寄るガソリンスタンドでディーゼル微粒子除去フィルタの交換を行うことができ、利便性がよくなる。
【図面の簡単な説明】
【図１】この発明によるディーゼルエンジン車のディーゼル微粒子除去フィルタの交換可能店舗検索システムの一つの実施の形態を示すシステム構成図である。
【図２】この発明によるディーゼルエンジン車のディーゼル微粒子除去フィルタの交換可能店舗検索システムにおける車載端末機器の画面表示例を示す説明図である。
【図３】この発明によるディーゼルエンジン車のディーゼル微粒子除去フィルタの交換可能店舗検索システムにおける車載端末機器の画面表示例を示す説明図である。
【符号の説明】
１０  ディーゼルエンジン車
１１  ディーゼル微粒子除去フィルタ
１２  フィルタ交換時期検出センサ
２０〜２３  店舗
３０  ＤＰＦ在庫データベース
３１  価額データベース
３２  検索サービス提供側コンピュータ
４０  通信ネットワーク
５０  道路交通情報通信システム
６０  車載装置
６１  携帯電話器
６２  端末機器
６３  ＧＰＳ受信器
７０  ＧＰＳ衛星
【図１】
0004227725.tif 000002
【図２】
0004227725.tif 000003
【図３】
0004227725.tif 000004